(57)【特許請求の範囲】
【請求項１】
壁（１８）に形成された接合面（１６）を有している組付け要素（１２）であって、これらの壁（１８）の間に少なくとも１つの側方ウェブ（２２）が形成されている形式のものにおいて、組付け要素（１２）の少なくとも１つの側方ウェブ（２２）内に少なくとも１つの凹部（３１）が設けられており、当該凹部（３１）が、少なくとも１つの接合面（１６）の、少なくとも１つの側方ウェブ（２２）に隣接している少なくとも１つの縁部範囲（２９）を起点としていることを特徴とする組付け要素。
【請求項２】
壁（１８）に形成されている接合面（１６）と、少なくとも１つの側方ウェブ（３６）を備えたキャップ（１４ａ）とを有している組付け要素（１２ａ）において、キャップ（１４ａ）の少なくとも１つの側方ウェブ（３６）内に少なくとも１つの凹部（３９）が設けられており、当該凹部（３９）が、ウェブ（３６）の端面（３７）の、当該ウェブ（３６）に隣接している縁部範囲（４１）を起点としていることを特徴とする組付け要素。
【請求項３】
壁（１８）に形成されている接合面（１６）を有し、これらの壁（１８）の間に少なくとも１つの側方ウェブ（２２）が形成されており、さらに少なくとも１つの側方ウェブ（３６）を備えたキャップ（１４ｂ）を有している組付け要素（１２ｂ）において、組付け要素（１２ｂ）の少なくとも１つの側方ウェブ（２２）内に少なくとも１つの凹部（３１）が設けられており、当該凹部（３１）が、少なくとも１つの接合面（１６）の、少なくとも１つの側方ウェブ（２２）に隣接している少なくとも１つの縁部範囲（２９）を起点としており、さらにキャップ（１４ｂ）の少なくとも１つの側方ウェブ（３６）内に少なくとも１つの凹部（３９）が設けられており、当該凹部（３９）が、ウェブ（３６）の端面（３７）の、当該ウェブ（３６）に隣接している縁部範囲（４１）を起点としており、しかも組付け要素（１４ｂ）の少なくとも１つの凹部（３１）がキャップ（１４ｂ）の少なくとも１つの凹部（３９）と合致することを特徴とする組付け要素。
【請求項４】
少なくとも１つの凹部（３１、３９）が、接合面（１６）によって形成される角の二等分線に対して平行に延びている、請求項１から３までのいずれか１項記載の組付け要素（１２、１２ａ、１２ｂ）。
【請求項５】
少なくとも１つの凹部（３１、３９）が円の切片の横断面を有している、請求項１から４までのいずれか１項記載の組付け要素（１２、１２ａ、１２ｂ）。
【請求項６】
少なくとも１つの凹部（３１、３９）が多角形の断面を有している、請求項１から４までのいずれか１項記載の組付け要素（１２、１２ａ、１２ｂ）。
【請求項７】
各々のウェブ（２２、３６）内に互いに平行な複数の凹部（３１、３９）が設けられている、請求項１から５までのいずれか１項記載の組付け要素（１２、１２ａ、１２ｂ）。
【請求項８】
複数の凹部（３１）のうち中央の凹部が、接合面（１６）の縁部範囲（２９）によって形成された切込み領域（４２）を起点としている、請求項７記載の組付け要素（１２、１２ａ、１２ｂ）。
【請求項９】
各々のウェブ（２２、３６）内に５つの凹部（３１、３９）が設けられている、請求項１から８までのいずれか１項記載の組付け要素（１２）。
【請求項１０】
各々のウェブ（２２、３６）内に３つの凹部（３１、３９）が設けられている、請求項１から８までのいずれか１項記載の組付け要素（１２ａ）。
【請求項１１】
ウェブ（２２、３６）の端面（３３、３７）に対して平行に延びている線上で終了する凹部（３１、３９）が設けられている、請求項１から１０までのいずれか１項記載の組付け要素（１２、１２ａ、１２ｂ）。
【請求項１２】
ウェブ（２２、３６）の端面（３３、３７）に対して平行に延びている線上で終了しない凹部（３１、３９）が設けられている、請求項１から１０までのいずれか１項記載の組付け要素（１２、１２ａ、１２ｂ）。
【請求項１３】
組付け要素（１２、１２ａ、１２ｂ）に互いに向き合う少なくとも２つのへこみ部（３０）が形成されていて、これらのへこみ部（３０）が第１の間隔を有しており、キャップ（１４、１４ａ、１４ｂ）に互いに向き合う少なくとも２つの突起部（３８）が一体成形されていて、これらの突起部（３８）が第２の間隔を有してへこみ部（３０）と協働するようになっており、さらにへこみ部（３０）の第１の間隔が突起部（３８）の第２の間隔より大きく、キャップ（１４、１４ａ、１４ｂ）が弾性的であり、少なくとも２つの突起部（３８）がキャップ（１４、１４ａ、１４ｂ）に対して曲げ剛性的であり、キャップ（１４、１４ａ、１４ｂ）が突起部（３８）を利用して組付け要素（１２、１２ａ、１２ｂ）を周囲から把持している、請求項１から１２までのいずれか１項記載の組付け要素（１２、１２ａ、１２ｂ）。
【請求項１４】
へこみ部（３０）が、接合面（１６）の互いに離れる方向に向いているエッジ（２８）に形成されている、請求項１３記載の組付け要素（１２、１２ａ、１２ｂ）。
【請求項１５】
キャップ（１４、１４ａ、１４ｂ）を組み付けた側面図が、ほぼ四分円に相応する、請求項１から１４までのいずれか１項記載の組付け要素（１２、１２ａ、１２ｂ）。
【発明の詳細な説明】
【０００１】
背景技術
本発明は、請求項１の上位概念部に記載された組付け要素から出発する。このような組付け要素は、たとえばドイツ連邦共和国実用新案第９０１１１３８．９号明細書に基づき公知である。この組付け要素には破断舌片が、接合面に向かって拡大するように形成されている。この場合、切欠部を有する構成部材、たとえば組付け溝を有する成形棒材に当て付けた際には破断舌片は少し余裕を有し、完全に導入した際にはプレスばめ部を有するように、幅が寸法設定されている。組付け要素の表面は平滑であり、それゆえ少し滑りやすくなる恐れがあるので、分解時には、特に破断舌片のプレスばめに基づき、組付け要素を再び取り除くことが難しい。
【０００２】
さらに、組付け要素の破断舌片が対称的に配置されている場合だけ、特定の向きを考慮することなく組付け要素を固定できる。そうでない場合には、組付け時に組付け要素を他の向きで再び当て付けなければならないことがある。
【０００３】
発明の利点
これに対して、請求項１の特徴部に記載された特徴を有する本発明の組付け要素は、組付け要素がウェブ内の凹部に基づき手で把捉しやすいという利点を有している。組付け要素の片側に凹部が形成されている場合は、さらに組付け要素の簡単な向き調整が保証されている。組付け要素のためのダイカスト型に当該組付け要素のための特殊なスライダが必要ないので、凹部を簡単に形成できる。凹部がキャップ内にも形成されていると、特に片側に形成されている場合は、キャップは簡単に向き調整できる。これらの凹部内に、当該凹部から張り出すことなくマーキングを付けることもできる。
【０００４】
請求項２以下に記載されている手段および特徴により、請求項１に記載した組付け要素の特別の構成が記載されている。
【０００５】
実施例の説明
図１に示された組付け要素１２は、切欠部を有する構成部材、特に組付け溝を有する成形棒材（図示しない）を固定する働きをする。組付け要素１２は固定アングルとして働き、好ましくはダイカスト成形品として形成されている。図１に示された組付け要素１２により、２つの構成部材を互いに直角に結合できる。
【０００６】
組付け要素１２は、好ましくは互いに直角に位置している２つの壁１８に形成されている、結合したい構成部材のための接合面１６を有している。この接合面１６から単数または複数の（図１では２つの）、たとえば斜めに配置された破断舌片１９が突き出している。これらの破断舌片１９は構成部材の切欠部と係合させることができ、それによって回動防止手段を形成する。各々の壁１８内には、構成部材のための固定要素、たとえばねじを貫通させるための貫通部２０が形成されている。さらにこの実施例では壁１８の間に、組付け要素１２の機械的強度を高めるために２つの側方ウェブ２２が存在しているが、斜視図に基づき１つの側方ウェブしか見えない。壁１８とウェブ２２とは切欠部２４を形成するが、これは図１に破線で示されている。
【０００７】
接合面１６の互いに離れる方向に向いている２つのエッジ２８には、それぞれのエッジ２８につき、組付け面３２を有する２つのへこみ部３０が形成されている。したがって図示の実施例では、合計４つのへこみ部３０が存在している。しかし、それぞれのエッジ２８にへこみ部３０を１つのみ、または２つより多く設けることも可能である。
【０００８】
さらに図１から明らかなように、両側方ウェブ２２内に有利には５つの凹部３１が設けられている。これらの凹部３１は、接合面１６の、側方ウェブ２２に隣接している縁部範囲２９を起点としている。凹部３１によって特に良好な把持性が得られる。このために凹部３１の大きさは理想的には、指で把捉できるように寸法設定されている。好ましくは凹部３１は互いに平行に延びており、そのうえ接合面１６もしくは壁１８によって形成された角の二等分線に対して平行に配置されている。５つの凹部３１のうち、好ましくは中央の凹部が、接合面１６の縁部範囲２９によって形成された切込み領域４２を起点としている。一方の側方ウェブ２２のみに５つの凹部３１もしくは、それより多い、またはそれより少ない凹部３１を設けることも可能である。この実施例では凹部３１は円の切片の横断面を有していて、接合面１６から離れた側で切片状に終了している。すなわち、この範囲では凹部３１とウェブ２２とから形成されたエッジは半円形を有している。凹部３１が方形の横断面を有していることも可能である。５つの凹部３１は、ウェブ２２の端面３３に対して平行に延びる線上で終了している。しかし、そのような線上で終了していない凹部３１を設けることも可能である。いずれの場合も、組付け要素１２の少なくとも１つの側方ウェブ２２に、少なくとも１つの接合面１６の、少なくとも１つの側方ウェブ２２に隣接している少なくとも１つの縁部範囲２９を起点としている少なくとも１つの凹部３１を設ける。
【０００９】
組付け要素１２の切欠部２４を覆うために、円弧状に湾曲した被覆部３４と、キャップ１４を補強する２つの側方ウェブ３６とを有するキャップ１４が働く。キャップ１４は有利にはプラスチック射出成形品として形成されており、弾性的であるが、非常に安定している。キャップ１４のウェブ３６の外側間隔は組付け要素１２のウェブ２２の外側間隔に相応する。１つの側方ウェブ２２しか有さない組付け要素１２において、キャップ１４の、ウェブ２２のない側に位置しているウェブ３６は、壁１８に接するように成形されている。ウェブ２２のない組付け要素１２では、キャップ１４の両ウェブ３６はそのように成形されている。キャップ１４が組付け要素１２に組み付けられている場合は、側面図の輪郭はほぼ四分円に相応する。それによって有利には、固定手段のための十分なスペースを提供する大きい空間が生じる。しかしまた、円弧状ではなく、別様に、たとえば組付け要素１２と組み付けられたキャップ１４とがほぼ直方体を生じるように成形されている、被覆部３４付きのキャップ１４を設けることも可能である。また、キャップ１４を平坦に、すなわちキャップ１４が１つの面で組付け要素１２のウェブ２２上に平らに載るように形成することも可能である。
【００１０】
被覆部３４の、互いに反対側に位置し離れる方向に向いているエッジ３５では、それぞれのエッジ３５に、組付け面４０を有する２つの突起部３８が形成されている。これらの突起部３８は小さくコンパクトであり、それにより被覆部３４に対して曲げ剛性を有している。へこみ部３０と同数の突起部３８が存在している。突起部３８は、へこみ部３０と形状的接続によって協働するように形成されている。有利にはへこみ部３０の間隔が突起部３８の間隔より大きい。突起部３８もしくは組付け面４０は、へこみ部３０内に多少の余裕をもって嵌合するように寸法設定されている。
【００１１】
図２に基づいて分かるように、キャップ１４ａの側方ウェブ３６に凹部３９を設けることができる。その数はこの実施例では５つであるが、これより多い、または少ない凹部も可能である。ここでは組付け要素１２ａは凹部３１を有していない。これは、たとえば組付け要素１２ａが破断舌片１９を有する場合に可能である。これらの破断舌片１９は、当該破断舌片１９が組付け後にプレスばめ部を有しないか、または破断舌片１９が全く存在しない場合に、組付け要素１２ａの特別の方向付けを必要としないように配置されている。この場合、キャップ１４ａのみに設けられている凹部３９は、上記のように、キャップ１４ａのより良好な把持性を可能にする。これらの凹部３９は、ウェブ３６の端面３７の、当該ウェブ３６に隣接している縁部範囲４１を起点としている。図示された実施例では、凹部３９は、ウェブ３６の端面３７に対して平行に延びている線上で終了していない。しかし、これらの凹部は、ウェブ３６の端面３７に対して平行に延びている線上で終了していてもよい。
【００１２】
図３に示されている線に基づいて分かるように、キャップ１４ｂの側方ウェブ３６に、組付け要素１２ｂの凹部３１の数に相応する３つの凹部３９を設けることができる。この数は特に比較的小さい組付け要素１２ａおよびキャップ１４ａにおいて有利である。なぜならば、凹部３１の大きさは、当該凹部３１を指で把捉しやすいように保たれるからである。凹部３９は、ウェブ３６の端面３７の、当該ウェブ３６に隣接している縁部範囲４１を起点としており、この実施例ではキャップ１４ａの凹部３９は、組付け要素１２ａの凹部３９と合致している。図示された実施例では、凹部３９はウェブ３６の端面３７に対して平行な線上で終了している。この場合、組付け要素１２ｂの凹部３１は、ウェブ２２の端面３７まで連続して延びている。
【００１３】
組付け要素１２、１２ａ、１２ｂの凹部３１が１つの側方ウェブ２２にしか形成されておらず、組付け要素１２、１２ａ、１２ｂの破断舌片１９が非対称的に配置されていると、凹部３１は組付け要素１２、１２ａ、１２ｂの向き調整を簡易にする。このことは、組付け要素１２、１２ａ、１２ｂでも、キャップ１４、１４ａ、１４ｂでも片側に形成されている場合にはそのまま当てはまる。さらに、組付け要素１２、１２ａ、１２ｂとキャップ１４、１４ａ、１４ｂとは、凹部３１もしくは３９によって把捉しやすくなる。この効果は特に、組付け要素１２、１２ａ、１２ｂの両ウェブ２２、もしくはキャップ１４、１４ａ、１４ｂの両ウェブ３６に凹部３１、３９を形成した場合に強化される。ウェブ２２、３６に異なる数の凹部３１、３９、たとえば一方の側に１つの凹部３１、３９を形成し、他方の側に５つの凹部３１、３９を形成することも可能である。そうすることによって良好な把持性と向き調整が与えられている。しかし、少なくともキャップ１４、１４ａ、１４ｂの１つの側方ウェブ３６には、ウェブ３６の端面３７の、当該ウェブ３６に隣接している縁部範囲４１を起点とする少なくとも１つの凹部３９を設けるものとする。
【００１４】
既に構成部材に固くねじ止めされた組付け要素１２、１２ａ、１２ｂにキャップ１４、１４ａ、１４ｂを組み付ける際は、たとえば最初にキャップ１４、１４ａ、１４ｂの被覆部３４のエッジ３５の突起部３８を、組付け要素１２、１２ａ、１２ｂのエッジ２８のへこみ部３０に差し込む。それから、キャップ１４、１４ａ、１４ｂを組付け要素１２、１２ａ、１２ｂのウェブ２２の端面３３に押し付ける。そうすることによってキャップ１４、１４ａ、１４ｂは上方に曲がり、キャップ１４、１４ａ、１４ｂの被覆部３４の他方のエッジ３５の突起部３８が組付け要素１２、１２ａ、１２ｂのへこみ部３０内に突入して係合する。組付け要素１２、１２ａ、１２ｂの向き合う組付け面３２は互いに平行ではなく、斜めに延びていて、アンダーカットが形成されている。キャップ１４、１４ａ、１４ｂの組付け面４０も同様に斜めに延びているので、キャップ１４、１４ａ、１４ｂは組付け面４０を利用して組付け要素を形状的接続によって周囲から把持する。へこみ部３０の組付け面３２の間隔は突起部３８の組付け面４０の間隔より大きいので、キャップ１４、１４ａ、１４ｂは特に良好に組付け要素１２、１２ａ、１２ｂに保持される。これによって、組付け要素１２、１２ａ、１２ｂにおけるキャップ１４、１４ａ、１４ｂの確実な保持が保証されている。
【００１５】
へこみ部３０は必ずしも接合面１６のエッジ２８に形成される必要はない。別のエッジ、たとえばウェブ２２のエッジに設けることもも可能である。この場合、突起部３８はキャップ１４、１４ａ、１４ｂに適合するように配置されなければならない。エッジ２８もしくは３５にへこみ部３０および突起部３８を形成することにより、突起部３８を非常に小さくすることが可能である。突起部３８はキャップ１４、１４ａ、１４ｂに比べて小さくコンパクトなので、キャップ１４、１４ａ、１４ｂよりも曲げ剛性が大きく、組付けおよび分解時に撓むことがない。したがって、組付けおよび分解時にはキャップ１４、１４ａ、１４ｂもしくは被覆部３４のみが変形し、突起部３８は変形しない。そうすることによって、組付けおよび分解時に頻繁に曲げることによって突起部３８が破断する危険が除去される。
【図面の簡単な説明】
【図１】  第１の実施例として、５つの凹部と１つのキャップとを有する組付け要素の分解斜視図である。
【図２】  変化した組付け要素と、５つの凹部を有する変化したキャップとの分解斜視図である。
【図３】  それぞれ３つの凹部を有する、変化した組付け要素と変化したキャップとの分解斜視図である。
【符号の説明】
１２  組付け要素、１４  キャップ、１６  接合面、１８  壁、１９  破断舌片、２０  貫通部、２２  ウェブ、２４  切欠部、２８  エッジ、２９  縁部領域、３０  へこみ部、３１  凹部、３２  組付け面、３３  端面、３４  被覆部、３５  エッジ、３６  ウェブ、３７  端面、３８  突起部、３９  凹部、４０  組付け面
【図１】
0004404486.tif 000002
【図２】
0004404486.tif 000003
【図３】
0004404486.tif 000004